【事件の表示】
　特許第２７７８０５１号「ディスク記録装置」の特許に対する特許異議の申立てについて、次のとおり決定する。
【結論】
　訂正を認める。
　特許第２７７８０５１号の特許を維持する。
【理由】
（手続の経緯）
　特許第２７７８０５１号の特許請求の範囲の請求項１に係る発明は、昭和６３年１０月２０日に出願されたものであって、平成１０年５月８日に設定登録され、その後、特許異議の申し立てがなされ、取消理由通知がなされ、その指定期間内である平成１１年７月１２日に訂正請求がなされたものである。
（訂正の適否）
（訂正事項）
・訂正事項ａは、請求項１に係る発明における
「上記制御手段は、上記搬送手段によって上記装置本体内の光ディスクを上記装置本体外に搬送する命令が入力されたときに上記記録手段を上記光ディスクの第２の領域に移動して」を「上記制御手段は、上記搬送手段によって上記装置本体内の光ディスクを上記装置本体外に搬送する命令が入力されたときに上記光ディスクの第２の領域に目録データが記録されているか否かを判別し、上記光ディスクの第２の領域に目録データが記録されているときには上記搬送手段を制御して上記光ディスクを上記装置本体外に搬送し、上記光ディスクの第２の領域に目録データが記録されていないときには上記記録手段を上記光ディスクの第２の領域に移動して」と特許請求の範囲の減縮を目的として、訂正するものである。
・訂正事項ｂは、不明りょうな記載の釈明を目的として、発明の詳細な説明の欄（課題を解決するための手段）の発明の構成に関する記載を上記訂正事項ａによって訂正したと同様に訂正するものである。
（訂正の目的の適否・新規事項の有無及び拡張・変更の存否）
　訂正事項ａは、訂正前の
「上記制御手段は、上記搬送手段によって上記装置本体内の光ディスクを上記装置本体外に搬送する命令が入力されたときに上記記録手段を上記光ディスクの第２の領域に移動して」を「上記制御手段は、上記搬送手段によって上記装置本体内の光ディスクを上記装置本体外に搬送する命令が入力されたときに上記光ディスクの第２の領域に目録データが記録されているか否かを判別し、上記光ディスクの第２の領域に目録データが記録されているときには上記搬送手段を制御して上記光ディスクを上記装置本体外に搬送し、上記光ディスクの第２の領域に目録データが記録されていないときには上記記録手段を上記光ディスクの第２の領域に移動して」と訂正するものであって、特許請求の範囲を減縮するものに相当し、新規事項の追加に該当せず、実質的に特許請求の範囲を拡張又は変更するものではない。
　また、訂正事項ｂは、訂正事項ａによって生じた不明りょうな記載を訂正するものであって、不明りょうな記載の釈明に相当する。
（独立特許要件の判断）　
　訂正明細書の請求項１に係る発明は以下のとおりである。
「データが記録される第１の領域と当該第１の領域の内周側に位置し上記第１の領域に記録されるデータの目録データが記録される第２の領域とを有する記録可能な光ディスクに記録を行う記録装置であって、
　上記光ディスクを装置本体内外に搬送する搬送手段と、
　上記搬送手段によって上記装置本体内に搬送された光ディスクにデータを記録する記録手段と、
　上記記録手段によって上記光ディスクの第１の領域に記録されたデータに対応して生成された目録データが記録されるメモリと、
　上記搬送手段と上記記録手段の動作を制御する制御手段とを備え、
　上記制御手段は、上記搬送手段によって上記装置本体内の光ディスクを上記装置本体外に搬送する命令が入力されたときに上記光ディスクの第２の領域に目録データが記録されているか否かを判別し、上記光ディスクの第２の領域に目録データが記録されているときには上記搬送手段を制御して上記光ディスクを上記装置本体外に搬送し、上記光ディスクの第２の領域に目録データが記録されていないときには上記記録手段を上記光ディスクの第２の領域に移動して上記メモリに蓄えられた目録データを上記光ディスクの第２の領域に記録した後に上記搬送手段を制御して上記装置本体内の光ディスクを上記装置本体外に搬送することを特徴とする記録可能な光ディスクの記録装置。」
　これに対して、当審が通知した取消理由で引用した、実願昭６０−１９４０５６号（実開昭６２１−１０６３６４号公報のマイクロフィルム（以下、引用例という））には、
「ディスクに情報を記録再生するヘッドと、該へッドの該ディスクに対する相対位置を制御するサーボ手段と、該ディスクへの該情報の記録動作に対応して該ディスクに記録される該情報をアクセスするのに必要なアクセス情報を記憶するメモリと、該ディスクの動作モードを検出する検出手段とを備え、該検出手段が該ディスクの記録モードの解除を検出したとき、該サーボ手段により該ヘッドを所定の位置に移動し、該メモリに記憶されている該アクセス情報を該ディスクの所定位置に記録することを特徴とするディスク記録再生装置。」が記載されている。
　また、「ディスクは情報の再生だけでなく、記録又は、記録と消去の両方が可能なものである」ことも記載されている。
　また、アクセス情報としては、「曲の番号、曲頭の時間（タイムコーダ）等を含む」ことも記載されている。
　また、記録モードの解除を指令としては、「例えば録音、録音ポーズ、録音ミュート等の状態がストップ、イジェクト等の操作により解除されること」が示されている。
　そこで、訂正明細書の請求項１に係る発明と上記引用例に記載の発明とを対比すると、引用例に記載の発明は、訂正明細書の請求項１に係る発明の構成要件であるところの、
「上記制御手段は、上記搬送手段によって上記装置本体内の光ディスクを上記装置本体外に搬送する命令が入力されたときに上記光ディスクの第２の領域に目録データが記録されているか否かを判別し、上記光ディスクの第２の領域に目録データが記録されているときには上記搬送手段を制御して上記光ディスクを上記装置本体外に搬送し、上記光ディスクの第２の領域に目録データが記録されていないときには上記記録手段を上記光ディスクの第２の領域に移動して上記メモリに蓄えられた目録データを上記光ディスクの第２の領域に記録した後に上記搬送手段を制御して上記装置本体内の光ディスクを上記装置本体外に搬送する」
　という構成が記載されていず、またそのことを示唆する記載もなされてはいない。
そして、本件請求項１に係る発明特有の作用・効果を奏するものであるので、訂正後の本件請求項１に係る発明は引用例に記載の発明に基づいて当業者が容易にできたものとはいえない。
　したがって、訂正明細書の請求項１に係る発明は特許出願の際に独立して特許を受けることができるものである。
（むすび）
　以上のとおりであるから、上記訂正は、特許法第１２０条の４第２項及び３項で準用する第１２６条第２−４項の規定に適合するので、当該訂正を認める。
（特許異議申立についての判断）
（申立の理由の概要）
　特許異議申立人中村吉孝は、甲第１号証（実願昭６０−１９４０５６号（実開昭６２−１０６３６４号公報のマイクロフィルム））（上記引用例と同じ）及び甲第２号証特開昭６０−２５８７８６号公報）を挙げて、本件請求項１に係る発明は、甲第１及び２号証に記載の発明に基づいて当業者が容易に発明をすることができたものであるから、本件請求項１に係る特許は特許法第２９条第２項の規定に該当し同法第１１３条第１項第２号の規定により、その登録は取り消されるべきである旨主張している。
（当審の判断）
・各甲号証の内容
　甲第１号証は上記引用例と同じである。
　甲第２号証には、
　「テープ状記録媒体に関するもので、ディジタルオーディオ信号を記録するものであって、記録したディジタルオーディオ信号の管理情報をテープ初端部に記録するもの」が記載されている。
（対比及び判断）
　そこで、本件請求項１に係る発明と甲第１及び２号証に記載の発明とを対比すると、上記各甲号証には、本件請求項１に係る発明の構成要件であるところの、
「上記制御手段は、上記搬送手段によって上記装置本体内の光ディスクを上記装置本体外に搬送する命令が入力されたときに上記光ディスクの第２の領域に目録データが記録されているか否かを判別し、上記光ディスクの第２の領域に目録データが記録されているときには上記搬送手段を制御して上記光ディスクを上記装置本体外に搬送し、上記光ディスクの第２の領域に目録データが記録されていないときには上記記録手段を上記光ディスクの第２の領域に移動して上記メモリに蓄えられた目録データを上記光ディスクの第２の領域に記録した後に上記搬送手段を制御して上記装置本体内の光ディスクを上記装置本体外に搬送する」
　という構成が記載されていず、またそのことを示唆する記載もなされてはいない。
そして、本件請求項１に係る発明特有の作用・効果を奏するものであるので、本件請求項１に係る発明は甲第１及び２号証に記載の発明に基づいて当業者が容易にできたものとはいえない。
　また、他に本件請求項１に係る特許を取り消すべき理由を発見しない。
　よって、結論のとおり決定する。
【異議決定日】
平成１１年７月２８日（１９９９．７．２８）
【訂正の要旨】
　▲１▼訂正事項ａ
　特許請求の範囲中で、特許請求の範囲の減縮を目的として、記録手段の動作を制御する制御手段が「上記制御手段は、上記搬送手段によって上記装置本体内の光ディスクを上記装置本体外に搬送する命令が入力されたときに
上記光ディスクの第２の領域に目録データが記録されているか否かを判別し、上記光ディスクの第２の領域に目録データが記録されているときには上記搬送手段を制御して上記光ディスクを上記装置本体外に搬送し、上記光ディスクの第２の領域に目録データが記録されていないときには
　▲２▼訂正事項ｂ
　発明の詳細な説明中で、訂正後の特許請求の範囲と発明の詳細な説明の記載とが対応するように、〔課題を解決するための手段〕の項を訂正する。
（５４）【発明の名称】
ディスク記録装置
（５７）【特許請求の範囲】
データが記録される第１の領域と当該第１の領域の内周側に位置し上記第１の領域に記録されるデータの目録データが記録される第２の領域とを有する記録可能な光ディスクに記録を行う記録装置であって、
　上記光ディスクを装置本体内外に搬送する搬送手段と、
　上記搬送手段によって上記装置本体内に搬送された光ディスクにデータを記録する記録手段と、
　上記記録手段によって上記光ディスクの第１の領域に記録されたデータに対応して生成された目録データが記憶されるメモリと、
　上記搬送手段と上記記録手段の動作を制御する制御手段とを備え、
　上記制御手段は、上記搬送手段によって上記装置本体内の光ディスクを上記装置本体外に搬送する命令が入力されたときに
上記光ディスクの第２の領域に目録データが記録されているか否かを判別し、上記光ディスクの第２の領域に目録データが記録されているときには上記搬送手段を制御して上記光ディスクを上記装置本体外に搬送し、上記光ディスクの第２の領域に目録データが記録されていないときには
【発明の詳細な説明】
　〔産業上の利用分野〕　　　　　　　　　　　　　　　
　この発明は、例えばコンパクトディスクと同様の形態でデータの記録を行うディスク記録装置に関する。
　〔従来の技術〕
　従来の追記型の光ディスクでは、その反射率が４０％以下であったのに対して、現在広く普及している再生専用コンパクトディスクの規格（所謂Ｒｅｄ　Ｂｏｏｋ）では、その反射率が７０％以上とされている。このため、従来の追記型光ディスクでは、そのメカニカルパラメータ（外径寸法、中心孔径、厚さ等）をコンパクトディスクと一致させても、その光学パラメータ（反射率、屈折率等）がコンパクトディスクの規格を満足できず、現行のコンパクトディスクプレーヤでは再生困難であった。
　ところが、例えば熱エネルギーを利用した新しいメカニズムにより、反射率が７０％を超える追記型光ディスクが開発されてきている。このような追記型光ディスクの場合には、そのメカニカルパラメータとともに、その光学パラメータについてもコンパクトディスクの規格を満足するものが実現可能である。したがって、このような追記型光ディスクを用いれば、現行のコンパクトディスクプレーヤで再生可能な追記型コンパクトディスクが実現できる。
　〔発明が解決しようとする課題〕
　ところが、このように現行のコンパクトディスクプレーヤで再生可能な追記型コンパクトディスクが普及してくると、ＴＯＣ（Ｔａｂｌｅ　Ｏｆ　Ｃｏｎｔｅｎｔｓ）のデータが書かれていないディスクがコンパクトディスクプレーヤに装着される可能性がある。このようにＴＯＣのデータが記録されていないディスクが装着されると、再生開始時に光学ピックアップが初期位置に位置設定できなくなり、非常に危険である。
　つまり、コンパクトディスクでは、最内周のリードイン部にＴＯＣ（Ｔａｂｌｅ　Ｏｆ　Ｃｏｎｔｅｎｔｓ）が設けられ、このＴＯＣにそのディスクに記録されている各曲の開始時のタイムコード、最初の曲番号、最後の曲番号、最終記録時間が記録される。
　追記型コンパクトディスクでは、ＴＯＣのデータを書き換えることができないため、ＴＯＣのデータを書き込んだ後には、そのディスクの記録容量に余裕があってもデータを記録できない。
　このようなことから、現行のコンパクトディスクプレーヤで再生可能な追記型コンパクトディスクが普及した場合、データ記録エリアが一杯になるまでＴＯＣにデータを記録しないでおくような使われ方がなされることが予想される。このような使われ方がなされると、ＴＯＣの記録されていないディスクがコンパクトディスクプレーヤに装着される可能性が出てくる。
　周知のように、コンパクトディスクプレーヤでは、ディスクが装着されると、先ず、ピックップが最内周のリードイン部に移動され、ＴＯＣのデータが読み取られるような制御がなされ。この時、ＴＯＣのないディスクが装着されると、ピックアップが初期位置に移動できず、デスク上を移動し続け、ピックアップの移動機構が破壊されてしまう危険性がある。
　したがって、この発明の目的は、ＴＯＣの書かれていないディスクがプレーヤに装着されることを未然に防止できるようにしたディスク記録装置を提供することにある。
　〔課題を解決するための手段〕
　この発明は、データが記録される第１の領域と当該第１の領域の内周側に位置志第１の領域に記録されるデータの目録データが記録される第２の領域とを有する記録可能な光ディスクに記録を行う記録装置であって、
　光ディスクを装置本体内外に搬送する搬送手段と、
　搬送手段によって装置本体内に搬送された光ディスクにデータを記録する記録手段と、
　記録手段によって光ディスクの第１の領域に記録されたデータに対応して生成された目録データが記録されるメモリと、
　搬送手段と記録手段の動作を制御する制御手段のを備え、
　制御手段は、搬送手段によって装置本体内の光ディスクを装置本体外に搬送する命令が入力されたときに
光ディスクの第２の領域に目録データが記録されているか否かを判別し、光ディスクの第２の領域に目録データが記録されているときには搬送手段を制御して光ディスクを装置本体外に搬送し、光ディスクの第２の領域に目録データが記録されていないときには
　〔作用〕
　トレイオープンボタン３６が押されるのに連動して追記型コンパクトディスク１の最内周のリードイン部３にＴＯＣのデータが書き込まれるような制御がなされる。これにより、記録装置本体から追記型コンパクトディスク１を取り出した時には、ディスクの最内周のリードイン部３にはＴＯＣのデータが必ず記録される。これにより、ＴＯＣのないディスクがプレーヤに装着されることが未然に防止できる。
　〔実施例〕
　以下、この発明の一実施例について図面を参照して説明する。
　第１図は、この発明の一実施例を示すものである。第１図において、１は追記型コンパクトディスクである。追記型コンパクトディスク１は、１回限りデータの書き込みが可能な光ディスクである。この追記型コンパクトディスク１は、そのメカニカルパラメータ及び光学パラメータともにコンパクトディスクの規格（所謂Ｒｅｄ　Ｂｏｋ）を満足している。すなわち、追記型コンパクトディスク１は、第２図に示すように、そ直径φが例えば１２ｃｍとされ、その中心に例えば１５ｍｍの中心孔２が形成されている。また、この追記型コンパクトディスク１は、その反射率が７０％以上とされている。
　追記型コンパクトディスク１には、トラックに沿って案内溝が形成される。この案内溝に沿って、トラッキング制御がなされる。この案内溝には、幅方向に凹凸を形成し、タイムコード情報をウォブル記録しておくこともできる。
　追記型コンパクトディスク１は、トレイ１０上に載置される。トレイ１０は、トレイ駆動機構１１により駆動されている。追記型コンパクトディスク１を記録装置本体に装着する際には、トレイ１０がトレイ駆動機構１１により矢印Ａで示すように駆動され、外部に露呈される。そして、トレイ１０上に追記型コンパクトディスク１を載置すると、矢印Ｂで示すように、追記型コンパクトディスク１がトレイ１０によりプレーヤ本体内部に搬送され、スピンドルモータ１２の回転軸に取り付けられる。
　スピンドルモータ１２は、スピンドルサーボ回路１３により制御されて回転される。これにより、追記型コンパクトディスク１がＣＬＶ（線速度一定）でもって回転される。
　光学ピックアップ１４は、スレッド送り機構１５により、追記型コンパクトディスク１の径方向に移動可能とされている。光学ピックアップ１４に対して、フォーカスサーボ回路１６及びトッラキングサーボ回路１７が設けられる。これらのフォーカスサーボ回路１６、トラッキングサーボ回路１７及びスピンドルサーボ回路１３は、システムコントローラ１８の制御下にある。システムコントローラ１８に対する指令は、キースイッチ１９から与えられる。
　記録時には、入力端子２１からディジタルデータが入力され、この入力端子２１からのディジタルデータが入力データインターフェース２３を介してエンコーダ２４に送られる。また、外部からのタイムコードを用いる場合には、入力端子２２からタイムコードデータが入力され、このタイムコードデータがスイッチ２６を介してエンコーダ２４に送られる。例えば、他のコンパクトディスクのデータを追記型コンパクトディスク１にダビングするような場合には、他のコンパクトディスクの再生ディジタルオーディオデータが入力端子２１に入力され、他のコンパクトディスクのサブコードから得られるタイムコードデータが入力端子２２に入力される。
　内部のタイムコードを用いる場合には、タイムコード発生回路２５からのタイムコードデータがスイッチ２６を介してエンコーダ２４に送られる。このタイムコード発生回路２５は、システムコントローラ１８により制御される。
　なお、追記型コンパクトディスク１のトラックの案内溝にタイムコードがウォブル記録されている場合には、このタイムコードがデコーダ３２から得られ、このタイムコードがエンコーダ２４に送られるとともに、システムコントローラ１８に送られる。
　エンコーダ２４には、デコーダ３２から再生同期信号が供給される。エンコーダ２４で、入力端子２１からのディジタルデータがコンパクトディスクの記録フォーマットでコード化される。すなわち、入力端子２１からのディジタルデータが所定のフレームに展開され、ＣＩＲＣ（クロスインターリーブ・リードソロモン符号）によりエラー訂正符号が付加され、最大１０８フレームのインターリーブがなされる。そして、入力端子２２或いはタイムコード発生回路２５からのタイムコードデータを基にサブコードデータが形成され、このサブコードデータが付加される。
　エンコーダ２４でエンコードされたデータは、変調器２８に送られ、変調器２８でこのデーがＥＦＭ変調される。そして、変調器２８の出力が光学ピックアップ１４に供給される。光学ピックアップ１４からは、変調器２８の出力で変調されたレーザービームが出力され、このレーザービームが追記型コンパクトディスク１に照射される。
　追記型コンパクトディスク１に記録されるデータの内容とそのタイムコードとから、ＴＯＣ（Ｔａｂｌｅ　Ｏｆ　Ｃｏｎｔｅｎｔ）のデータが形成される。このＴＯＣのデータは、随時、メモリ２７に記録される。
　追記型コンパクトディスク１へのデータの記録が終了し、トレイオープンボタン３６が押されると、システムコントローラ１８からの指令により、光学ピックアップ１４が追記型コンパクトディスク１の最内周のリードイン部３（第２図）に移動される。そして、このリードイン部３に、メモリ２７に記憶されていたＴＯＣのデータが記録される。
　つまり、第３図に示すように、追記型コンパクトディスク１を取り出す際には、先ず、トレイオープンボタン３６が押されたかどうかが判断され（ステップ５１）、トレイオープンボタン３６が押されたと判断されたら、ディスクの最内周のリードイン部３にＴＯＣのデータが記録されているかどうかが判断される（ステップ５２）。
　ディスクの最内周のリードイン部３にＴＯＣのデータが記録されていれば、トレイ駆動機構１１に駆動信号が与えられ、トレイ１０がオープンされる（ステステップ５３）。ディスクの最内周のリードイン部３にＴＯＣのデータが記録されていなければ、光学ピックアップ１４がディスクの最内周のリードイン部３に移動され、リードイン部３にＴＯＣのデータが書き込まれる（ステップ５４）。このように、ディスクの最内周にＴＯＣのデータが記録された後、トレイ１０がオープンされる。
　このように、この発明の一実施例では、トレイオープンボタン３６が押されるのに連動してディスクの最内周のリードイン部３にＴＯＣのデータが書き込まれる。したがって、記録装置本体から追記型コンパクトディスク１を取り出した時には、ディスクの最内周のリードイン部３にはＴＯＣのデータが必ず記録される。
　再生時には、追記型コンパクトディスク１の記録信号が光学ピックアップ１４で再生され、この再生ＲＦ信号がＲＦ増幅復調器３１に供給される。ＲＦ増幅復調器３１で、追記型コンパクトディスク１の記録信号が復調される。この復調されたデータがデコーダ３２に送られる。デコーダ３２で、デインターリーブ処理、ＣＩＲＣのエラー訂正処理等がなされ、追記型コンパクトディスク１からの再生データが復号される。また、追記型コンパクトディスク１の再生データから得られるサブコードから、タイムコードデータが再生される。
　デコーダ３２で復号された再生データは、出力データインターフェース３３を介して出力端子３４から出力される。また、デコーダ３２で再生されたタイムコードデータが出力データインターフェース３３を介して出力端子３５から出力されるとともに、システムコントローラ１８に送られる。
　再生時には、先ず、光学ピックアップ１４がディスクの最内周のリードイン部３に移動される。そして、リードイン部３に記録されているＴＯＣのデータが読み込まれる。このＴＯＣのデータから、再生しようとする追記型コンパクトディスク１に記録されているデータの記録位置情報が得られる。
　したがって、追記型コンパクトディスク１の最内周のリードイン部３にＴＯＣのデータが記録されていないと、再生の開始時に光学ピックアップ１４の初期位置が定まらない。このため、光学ビックアップ１４の移動機構が発振し、光学ピックアップ１４の移動機構が破損するおそれがある。
　この発明の一実施例では、前述したように、トレイオープンボタン３６が押されるのに連動してディスクの最内周のリードイン部３にＴＯＣのデータが書き込まれる。したがって、記録装置本体から追記型コンパクトディスク１を取り出した時には、ディスクの最内周のリードイン部３にはＴＯＣのデータが必ず記録されている。これにより、再生開始時に光学ピックアップ１４の位置が定まらず、光学ピックアップ１４の移動機構が破損してしまうことが未然に防止できる。
　なお、追記型コンパクトディスク１にデータを記録した後、記録されたデータを確認するために追記型コンパクトディスク１を記録装置本体から取り出す前に再生を試みたい場合がある。この時には、メモリ２５に記憶されているＴＯＣデータが参照されて、所望の位置に光学ピックアップ１４が移動される。
　上述の一実施例では、トレイオープンボタン３６が押されるのに連動して追記型コンパクトディスク１の最内周のリードイン部３にＴＯＣのデータを書き込むように制御して、取り出された追記型コンパクトディスク１の最内周のリードイン部３にＴＯＣのデータが必ず記録されるようにしているが、この発明は、このような制御に限定されるものではない。データ記録後の追記型コンパクトディスク１が記録装置本体から取り出された時には、ディスクの最内周のリードイン部３にＴＯＣのデータが必ず記録されるような制御であれば、どのような制御を行っても良い。例えば、終了確認ボタンが押されるとディスクの最内周のリードイン部３にＴＯＣのデータが記録されるようにし、この終了確認ボタンが押されなければ、トレイ１０が開かないような制御を行うようにしても良い。
　〔発明の効果〕
　この発明によれば、トレイオープンボタン３６が押されるのに連動してディスクの最内周のリードイン部３にＴＯＣのデータが書き込まれるような制御がなされる。これにより、記録装置本体から追記型コンパクトディスク１を取り出した時には、ディスクの最内周のリードイン部３にはＴＯＣのデータが必ず記録される。このため、再生開始時に光学ピックアップ１４がディスクの最内周のリードイン部に確実に移動でき、再生の開始時に光学ピックアップ１４の初期位置が定まらず、光学ピックアップ１４の移動機構が破損する危険性が未然に防止できる。
【図面の簡単な説明】
　第１図はこの発明の一実施例のブロック図、第２図はこの発明の一実施例におけるディスクの説明に用いる平面図、第３図はこの発明の一実施例の説明に用いるフローチャートである。
　〔図面における主要な符号の説明〕
　１：追記型コンパクトディスク、３：リードイン部、１０：トレイ、１４：光学ピックアップ、１８：システムコントローラ、２４：エンコーダ、２７：メモリ、３２：デコーダ、３６：トレイオープンボタン。